(57)【要約】      （修正有）【課題】折り畳まれたり展開されたりして開閉され、折り畳まれた状態で内側だけでなく、外側へも容易に移動することができる、フォールディングドアの折り畳み装置を提供する。【解決手段】第１上部移動手段１００、第１下部移動手段２００、第２上部移動手段３００、第２下部移動手段４００、複数の回転プーリー５１０，５２０，５３０，５４０，５５０，５６０を含んでなり、第１ワイヤー６１０の一端部は第２上部移動手段３００の他側に結合され、第１ワイヤー６１０の他端部は回転プーリー５１０，５６０，５５０を介して第２下部移動手段４００の一側に結合され、第２ワイヤー６２０の一端部は第２上部移動手段３００の一側に結合され、第２ワイヤー６２０の他端部は回転プーリー５２０，５３０，５４０を介して第２下部移動手段４００の他側に結合され、第２上部移動手段３００および第２下部移動手段４００は左右同一の間隔で一緒に移動する。【選択図】図１
2018096197.tif 000002
【特許請求の範囲】
【請求項１】
フォールディングドアの上部が支持される上部ガイドフレームに内設され、前記上部ガイドフレームの内側面に沿って移動する第１上部移動手段と、
フォールディングドアの下部が支持される下部ガイドフレームに内設され、前記下部ガイドフレームの内側面に沿って移動する第１下部移動手段と、
前記第１上部移動手段と回転部材によって連結され、フォールディングドアの上部フレームに内設されて前記上部フレームの内側面に沿って移動する第２上部移動手段と、
前記第１下部移動手段と回転部材によって連結され、フォールディングドアの下部フレームに内設されて前記下部フレームの内側面に沿って移動する第２下部移動手段と、
フォールディングドアの上部フレームの内部に形成され、前記第２上部移動手段の一側に形成される第１回転プーリーと、
フォールディングドアの上部フレームの内部に形成され、前記第２上部移動手段の他側に形成される第２回転プーリーと、
フォールディングドアの下部フレームの内部に形成され、前記第２下部移動手段の他側に形成される第３回転プーリーと、
フォールディングドアの下部フレームの内部に形成され、前記第２下部移動手段の一側に形成される第４回転プーリーと、
フォールディングドアの下部フレームの内部に形成され、前記第２下部移動手段の他側に前記第３回転プーリーと離隔して高さを異ならせて形成される第５回転プーリーと、
フォールディングドアの上部フレームの内部に形成され、前記第１上部移動手段の他側に前記第２回転プーリーと離隔して高さを異ならせて形成される第６回転プーリーとを含み、
第１ワイヤーの一端部は前記第２上部移動手段の他側に結合され、第１ワイヤーの他端部は前記第１回転プーリーを介して前記第６回転プーリーを経た後、さらに前記第５回転プーリーを介して前記第２下部移動手段の一側に結合され、
第２ワイヤーの一端部は前記第２上部移動手段の一側に結合され、第２ワイヤーの他端部は前記第２回転プーリーを介して前記第３回転プーリーを経た後、さらに前記第４回転プーリーを介して前記第２下部移動手段の他側に結合され、
前記第２上部移動手段および前記第２下部移動手段は左右同一の間隔で一緒に移動することを特徴とする、３面構造を持つフォールディングドアの折り畳み装置。
【請求項２】
前記第１上部移動手段と前記第２上部移動手段、および前記第１下部移動手段と前記第２下部移動手段はそれぞれ回動部材によって連結されることを特徴とする、請求項１に記載の３面構造を持つフォールディングドアの折り畳み装置。
【請求項３】
前記回動部材は、
中心に第１締結ホールが形成されて前記第１上部移動手段と前記第１下部移動手段にそれぞれ一端部が締結固定され、他端部には第１角度調節突出段部が形成された第１回動部材；
中心に第２締結ホールが形成されて前記第２上部移動手段と前記第２下部移動手段にそれぞれ一端部が締結固定され、他端部には前記第１角度調節突出段部に対応して第２角度調節突出段部が形成された第２回動部材；および
前記第１締結ホールと前記第２締結ホールに軸結合され、前記第１回動部材と前記第２回動部材の回転をガイドする回動ガイドピン；を含み、
前記第１角度調節突出段部と前記第２角度調節突出段部は回転の際に相互間の端部に接触して回動角度が調節されることを特徴とする、請求項２に記載のフォールディングドアの折り畳み装置。
【請求項４】
前記回動部材の回動角度は９０度であることを特徴とする、請求項２または３に記載の３
面構造を持つフォールディングドアの折り畳み装置。
【発明の詳細な説明】
【技術分野】
【０００１】
本発明は、３面構造を持つフォールディングドアの折り畳み装置に関し、特に、屏風のように折り畳まれたり展開されたりして開閉され、フォールディングドア自体が折り畳まれた状態で内側だけでなく、外側へも容易に移動することができるように構成した、３面構造を持つフォールディングドアの折り畳み装置に関する。
【背景技術】
【０００２】
一般に、フォールディングドアは、屏風と同じ構造を持ち、複数のドアが連結されて折り畳まれたり展開されたりして開閉されるドアであって、最近、バルコニー、商店の壁体、室内を複数の空間に区分する仕切りなどに適用されており、採光または室内透視のためにガラスを採用したりもする。
【０００３】
このようなフォールディングドアは、複数の個別ドアが回動して折り畳まれたり展開されたりするようにヒンジなどで結合されており、個別ドアの上下にはローラーが固定設置されている。フォールディングドアが設置されるドア枠の上下には、個別ドアのローラーが設置される案内レールが設けられている。これにより、複数の個別ドアがローラーによってドア枠の案内レールに沿ってスライドされて一側に移動しながら順次折り畳まれたり展開されたりして、フォールディングドアの設置された空間を開閉する。
【０００４】
このようにフォールディングドアが設置された空間を、フォールディングドアを折り畳んで開放した後、折り畳まれたフォールディングドアは、設置構造に応じて室内側へのみ完全に収納されるか、室外側へのみに完全に突出して折り畳まれるように構成される。このようにフォールディングドアを室内側または室外側へのみ完全に収納／突出して折り畳まれるように構成すると、このような収納／突出方向に永久的に使用するしかなく、室内空間または室外空間の使用用途の変更により収納／突出方向を変えようとする場合には、さらに再施工しなければならないという問題があった。
【０００５】
また、フォールディングドアが室内側または室外側へのみ完全に収納／突出して折り畳まれるように構成されているので、フォールディングドアが設置される周辺環境の状況に応じてフォールディングドアの折り畳み状態の変更、すなわち斜めに折り畳んだり、収納／突出長さを室内側、室外側、または室内外両側に異ならせて折り畳んだりするなどの変更を加えることができないという問題があった。
【先行技術文献】
【特許文献】
【０００６】
【特許文献１】韓国登録特許１０−１１５３６８７号公報
【発明の概要】
【発明が解決しようとする課題】
【０００７】
本発明が解決しようとする技術的課題は、室内および室外の両方向に突出させて収納することができる、３面構造を持つフォールディングドアの折り畳み装置を提供することにある。
【０００８】
本発明が解決しようとする他の技術的課題は、フォールディングドアの移動時と折り畳み時に水平状態を維持することができる、３面構造を持つフォールディングドアの折り畳み装置を提供することにある。
【０００９】
本発明が解決しようとする別の技術的課題は、上述したような効果を有しながらも単純な構造で構成され、製作生産性を向上させるのはもとより、資材費を節減させることができる、３面構造を持つフォールディングドアの折り畳み装置を提供することにある。
【課題を解決するための手段】
【００１０】
上記技術的課題を達成するために、本発明に係る３面構造を持つフォールディングドアの折り畳み装置は、第１上部移動手段、第１下部移動手段、第２上部移動手段、第２下部移動手段、第１回転プーリー、第２回転プーリー、第３回転プーリー、第４回転プーリー、第５回転プーリーおよび第６回転プーリーを含んでなり、第１ワイヤーの一端部は前記第２上部移動手段の他側に結合され、第１ワイヤーの他端部は前記第１回転プーリーを介して前記第６回転プーリーを経た後、さらに前記第５回転プーリーを介して前記第２下部移動手段の一側に結合され、第２ワイヤーの一端部は前記第２上部移動手段の一側に結合され、第２ワイヤーの他端部は前記第２回転プーリーを介して前記第３回転プーリーを経た後、さらに前記第４回転プーリーを介して前記第２下部移動手段の他側に結合され、前記第２上部移動手段および前記第２下部移動手段は左右同一の間隔で一緒に移動することを特徴とする。
【００１１】
また、前記第１上部移動手段と前記第２上部移動手段、および前記第１下部移動手段と前記第２下部移動手段は、それぞれ回動部材によって連結されることを特徴とする。
また、前記回動部材は、第１角度調節突出段部が形成された第１回動部材と、第２角度調節突出段部が形成された第２回動部材と、前記第１回動部材と前記第２回動部材の回転をガイドする回動ガイドピンとを含み、前記第１角度調節突出段部と前記第２角度調節突出段部は、回転の際に相互間の端部に接触して回動角度が調節されることを特徴とする。
また、前記回動部材の回動角度は９０度であることを特徴とする。
【発明の効果】
【００１２】
上述した本発明によれば、フォールディングドアの左右側面のいずれか一面、上面および下面の３面にのみ設置される簡素化構造であって、従来に比べて製作生産性を向上させるのはもとより、資材費を節減することができる。
【００１３】
また、第２上部移動部材と第２下部移動部材が左右同一の間隔で移動することにより、フォールディングドアの移動時に水平状態を常に維持することができる。
【００１４】
また、回動部材の構成によって、所望のフォールディングドアが所望の角度だけ回転するように構成することができる。
【００１５】
また、回動角度を９０度に設定したとき、フォールディングドアがいずれか一方に片寄ったり傾いたりすることを防止することにより、左右への移動時と折り畳んだり展開したりする時の不便さを解消するのはもとより、安定性を高めることができる。
【図面の簡単な説明】
【００１６】
【図１】本発明のフォールディングドアの一実施例に係る技術構成状態を示す概念図である。
【図２】本発明の３面構造を持つフォールディングドアの折り畳み装置の一実施例に係る概念斜視図である。
【図３】本発明の３面構造を持つフォールディングドアの折り畳み装置の一実施例に係る左右移動状態を示す図である。
【図４】本発明の３面構造を持つフォールディングドアの折り畳み装置の一実施例に係る左右移動状態を示す図である。
【図５】本発明の３面構造を持つフォールディングドアの折り畳み装置の一実施例に係る回動部材を示す図である。
【図６】図５の回動部材の回動原理を示す概念図である。
【発明を実施するための形態】
【００１７】
本発明は、様々な変更を加えることができ、様々な実施例を有することができるので、特定の実施例を図面に例示し、詳細に説明する。
【００１８】
しかし、これは本発明を特定の実施形態について限定するものではなく、本発明の思想および技術範囲に含まれるすべての変更、均等物ないし代替物を含むものと理解されるべきである。各図面を説明しながら、類似の参照符号を類似の構成要素について使用した。
「第１」、「第２」などの序数を含む用語は様々な構成要素を説明するために使用できるが、前記構成要素はこれらの用語により限定されるものではない。
【００１９】
本明細書に使用される用語は、ある構成要素を他の構成要素から区別するために使用されるだけである。例えば、本発明の権利範囲を逸脱しない範疇内で、第２構成要素は第１構成要素と命名することができ、同様に、第１構成要素も第２構成要素と命名することができる。「および／または」という用語は、複数の関連した記載項目の組み合わせ、または複数の関連した記載項目のいずれかを含む。
【００２０】
ある構成要素が他の構成要素に「連結」または「接続」されていると記載されたときは、他の構成要素に直接連結または接続されていることもあるが、それらの構成要素の間に別の構成要素が介在することもあると理解されるべきである。これに対し、ある構成要素が他の構成要素に「直接連結」されているか、「直接接続」されていると記載されたときは、それらの構成要素の間に別の構成要素が介在しないと理解されるべきである。
【００２１】
本出願において使用した用語は、単に特定の実施例を説明するために使用されたものであり、本発明を限定するものではない。単数の表現は、文脈上明らかに異なる意味を表さない限り、複数の表現を含む。本出願において、「含む」または「有する」などの用語は、明細書に記載された特徴、数字、段階、動作、構成要素、部品またはそれらの組み合わせが存在することを示すものであり、１つまたはそれ以上の他の特徴、数字、段階、動作、構成要素、部品またはそれらの組み合わせの存在または付加の可能性を予め排除するものではないと理解されるべきである。
【００２２】
別途定義されていない限り、技術的または科学的な用語を含めてここで使用される全ての用語は、本発明の属する技術分野における通常の知識を有する者に一般的に理解されるものと同様の意味を有する。一般に使用される辞書に定義されている用語は、関連技術の文脈上持つ意味と同じ意味を持つと解釈されるべきであり、本出願において明らかに定義しない限り、理想的または過度に形式的な意味には解釈されない。
【００２３】
以下、添付図面を参照して、本発明に係る好適な実施例を詳細に説明する。
図１は本発明のフォールディングドアの一実施例に係る技術構成状態を示す概念図、図２は本発明の３面構造を持つフォールディングドアの折り畳み装置の一実施例に係る概念斜視図、図３および図４は本発明の３面構造を持つフォールディングドアの折り畳み装置の一実施例に係る左右移動状態を示す図である。
【００２４】
次に、図１乃至図４を参照して、本発明の３面構造を持つフォールディングドアの折り畳み装置を説明する。
【００２５】
本発明の３面構造を持つフォールディングドアの折り畳み装置は、第１上部移動手段１００、第１下部移動手段２００、第２上部移動手段３００、第２下部移動手段４００、第
１回転プーリー５１０、第２回転プーリー５２０、第３回転プーリー５３０、第４回転プーリー５４０、第５回転プーリー５５０および第６回転プーリー５６０を含んで構成される。
【００２６】
まず、第１上部移動手段１００は、フォールディングドア３０の上部が支持される上部ガイドフレーム１０に内設され、上部ガイドフレーム１０の内側面に沿って左右に移動する。
【００２７】
第１下部移動手段２００は、フォールディングドア３０の下部が支持される下部ガイドフレーム２０に内設され、下部ガイドフレーム２０の内側面に沿って左右に移動する。
第１上部移動手段１００と第１下部移動手段２００には複数の移動手段（図示せず）が形成され、上部ガイドフレーム１０と下部ガイドフレーム２０にも前記移動手段に対応する移動ライン（図示せず）が形成され、前記移動ラインに沿って前記移動手段が移動する構造である。
【００２８】
第２上部移動手段３００は、フォールディングドア３０の上部フレーム３１に内設され、第１上部移動手段１００とは回転部材７００によって連結される。
【００２９】
回転部材の構成は、本発明の出願人によって出願登録された韓国登録特許第１０−１１５３６８７号の内容を参照することができ、回転部材の構成の際に当該分野の「フリーフォールティングドア」に使用することができる。
【００３０】
第２下部移動手段４００は、フォールディングドア３０の下部フレーム３２に内設され、第１下部移動手段２００とは回転部材７００によって連結される。
【００３１】
第２上部移動手段３００と第２下部移動手段４００にも複数の移動手段が形成され、上部フレーム３１と下部フレーム３２にも前記移動手段に対応する移動ラインが形成され、前記移動ラインに沿って前記移動手段が上部フレーム３１と下部フレーム３２の内側面の左右に移動する構造である。
【００３２】
第１回転プーリー５１０は、第２上部移動手段３００の一側に形成され、上部フレーム３１の内部に位置する。
【００３３】
第２回転プーリー５２０は、第２上部移動手段３００の他側に形成され、上部フレーム３１の内部に位置する。
【００３４】
第３回転プーリー５３０は、第２下部移動手段４００の他側に形成され、下部フレーム３２の内部に位置する。
【００３５】
第４回転プーリー５４０は、第２下部移動手段４００の一側に形成され、下部フレーム３２の内部に位置する。
【００３６】
第５回転プーリー５５０は、第２下部移動手段４００の他側に第３回転プーリー５３０と離隔して高さを異ならせて形成され、下部フレーム３２の内部に位置する。
【００３７】
第６回転プーリー５６０は、第１上部移動手段１００の他側に第２回転プーリー５２０と離隔して高さを異ならせて形成され、上部フレーム３１の内部に位置する。
【００３８】
一方、前記回転プーリーは、ワイヤーが巻き取られて回転可能な構造で連結されるもので、巻取りおよび回転が可能な形状と構造であれば、公知の技術内で様々な変形が可能で
ある。
【００３９】
前述したように構成された状態で、第１ワイヤー６１０の一端部は第２上部移動手段３００の他側に結合され、第１ワイヤー６１０の他端部は第１回転プーリー５１０を介して第６回転プーリー５６０を経た後、さらに第５回転プーリー５５０を介して第２下部移動手段４００の一側に結合される。
【００４０】
また、第２ワイヤー６２０の一端部は第２上部移動手段３００の一側に結合され、第２ワイヤー６２０の他端部は第２回転プーリー５２０を介して第３回転プーリー５３０を経た後、さらに第４回転プーリー５４０を介して第２下部移動手段４００の他側に結合される。
【００４１】
所定のテンションを維持した状態で前述のように結合され、図３および図４に示されているように、第２上部移動手段３００および第２下部移動手段４００は左右同一の間隔で一緒に移動して水平状態を維持する。
【００４２】
前述したような本発明は、ワイヤー６００が両側面フレーム３３のうちのいずれかの側面フレーム３３（１面）、上部フレーム３１（２面）および下部フレーム３２（３面）の３面にのみ設置される３面構造であって、従来の４面構造に比べて構成が簡素化されるのはもとより、製作生産性を向上させることができ且つ資材費を節減することができるという利点を持つ。
【００４３】
一方、第１上部移動手段１００と第２上部移動手段３００、および第１下部移動手段２００と第２下部移動手段４００は、前述したような構造で回転部材７００によって連結されず、それぞれ回動部材８００によって連結できる。
【００４４】
図５は本発明の３面構造を持つフォールディングドアの折り畳み装置の一実施例に係る回動部材８００を示す図、図６は図５の回動部材８００の回動原理を示す概念図である。以下、図５および図６を参照して、本発明に係る回動部材８００を説明する。
【００４５】
まず、図５は第１上部移動手段１００と第２上部移動手段３００に締結される回動部材８００を示すもので、第１下部移動手段２００と第２下部移動手段４００に締結される回動部材８００の形状および構造なども図５を参照することができる。
【００４６】
回動部材８００は、第１回動部材８１０、第２回動部材８２０および回動ガイドピン８３０を含んで構成される。
【００４７】
第１回動部材８１０は、中心に円形の第１締結ホール（図示せず）が第１回動部材８１０の長さ形成方向に構成され、第１上部移動手段１００と第１下部移動手段２００にそれぞれその一端部が締結固定される。
【００４８】
第１回動部材８１０の外側形状は、図示の如く、回転を防止するために角形に構成することが好ましく、第１回動部材８１０の他端部には第１角度調節突出段部８１１が形成される。
【００４９】
第１角度調節突出段部８１１は、第１締結ホールに干渉しないように、他端部から一定の幅が長さ方向に突出した形状に構成される。
【００５０】
第２回動部材８２０は、第１締結ホールに対応して中心に円形の第２締結ホール（図示せず）が第２回動部材８２０の長さ形成方向に構成され、第２上部移動手段３００と第２
下部移動手段４００にそれぞれその一端部が締結固定される。
【００５１】
第２回動部材８２０の外側形状は、第１回動部材８１０と同様に、回転を防止するために角形に構成することが好ましく、第２回動部材８２０の他端部には第２角度調節突出段部８２１が形成される。
【００５２】
第２角度調節突出段部８２１は、第２締結ホールに干渉しないように、他端部から一定の幅が長さ方向に突出した形状に構成される。
【００５３】
回動ガイドピン８３０は、第１締結ホールと第２締結ホールに軸結合されて第１回動部材８１０と第２回動部材８２０の相互間の回転をガイド支持する。これはフォールディングドア３０の折り畳み動作とも連関がある。
【００５４】
このとき、第１角度調節突出段部８１１と第２角度調節突出段部８２１が回動ガイドピン８３０に支持されて回転するとき、図６に示されているように、相互間の端部に接触して回動角度が調節される。
【００５５】
図６は９０度の角度で回動する構造を概念的に示すものであり、９０度の角度を形成することができれば、第１角度調節突出段部８１１および第２角度調節突出段部８２１の形状、長さおよび位置などは多様に実施することができる。
【００５６】
回動角度は、設計の際にユーザーが要求する角度で設計することができる。図示の如く、回動角度を９０度の角度で設計する場合、フリーフォールディングドアに比べて折り畳み動作の際に安定性を高めることができ、特に、折り畳まれたフォールディングドア３０が一方に片寄ったり傾いたりすることを防止することにより使用利便性を高めることができる。
【００５７】
一方、本発明に係るフォールディングドア３０の折り畳み動作や、折り畳まれたフォールディングドア３０が室内の外側および内側に位置した状態などは、本発明の出願人によって出願登録された韓国登録特許第１０−１１５３６８７号の内容と図面などを参照することができる。
【符号の説明】
【００５８】
１０    上部ガイドフレーム
２０    下部ガイドフレーム
３０    フォールディングドア
３１    上部フレーム
３２    下部フレーム
３３    側面フレーム
１００    第１上部移動手段
２００    第１下部移動手段
３００    第２上部移動手段
４００    第２下部移動手段
５１０    第１回転プーリー
５２０    第２回転プーリー
５３０    第３回転プーリー
５４０    第４回前プーリー
５５０    第５回転プーリー
５６０    第６回転プーリー
６００    ワイヤー
７００    回転部材
８００    回動部材
８１０    第１回動部材
８１１    第１角度調節突出段部
８２０    第２回動部材
８２１    第２角度調節突出段部
８３０    回動ガイドピン
【図１】
2018096197.tif 000003
【図２】
2018096197.tif 000004
【図３】
2018096197.tif 000005
【図４】
2018096197.tif 000006
【図５】
2018096197.tif 000007
【図６】
2018096197.tif 000008